(57)【要約】【課題】  一時停止・一時停止解除の再生品位をより良くする情報端末装置を提供する。【解決手段】  ネットワークを介して情報配信装置からデータを受信する情報端末装置において、前記情報配信装置から配信されてくる前記データを受信する受信手段と、前記受信手段により受信された前記データを再生する再生手段と、前記再生手段により再生されている前記データから再生位置情報を取得し、この再生位置情報を外部からの所定操作毎に前記情報配信装置に送信する送信手段とを備え、前記外部からの所定操作は再生一時停止後の再開であり、前記再生手段は前記データ中のタイムスタンプに基づき前記データ中のストリームから重複した部分を特定する機能を備えることを特徴とする情報端末装置。【選択図】      図６
2009111917.tif 000002
【特許請求の範囲】
【請求項１】
ネットワークを介して情報配信装置からデータを受信する情報端末装置において、
前記情報配信装置から配信されてくる前記データを受信する受信手段と、
前記受信手段により受信された前記データを再生する再生手段と、
前記再生手段により再生されている前記データから再生位置情報を取得し、この再生位
置情報を重複させるデータ分遡り、外部からの再生一時停止後の再開操作により前記情報
配信装置に送信する送信手段とを備え、
前記再生手段は前記データ中のタイムスタンプに基づき前記データ中のストリームから
前記重複した部分を特定する機能を備えることを特徴とする情報端末装置。
【請求項２】
前記データ中のストリームから重複した部分を特定する機能を実行するフィルタと、
このフィルタのストリーム出力をデコードするデコーダとを
備え前記一時停止までに前記フィルタがデコーダへ出力したストリームと、一時停止解除
後に前記フィルタがデコーダへ出力するストリームの連続性を確保するように働くことを
特徴とする請求項１に記載の情報端末装置。
【請求項３】
前記データ中のストリームから重複した部分を特定する機能を実行するフィルタと、
このフィルタのストリーム出力をデコードするデコーダと、
前記デコーダの出力に基づいて映像を表示する表示部とを
備え前記一時停止までに前記フィルタがデコーダへ出力したストリームと、一時停止解除
後に前記フィルタがデコーダへ出力するストリームの連続性を確保するように働くことを
特徴とする請求項１に記載の情報端末装置。
【発明の詳細な説明】
【技術分野】
【０００１】
本発明は、情報端末装置に係わり、特にVODの一時停止処理に関する。
【背景技術】
【０００２】
ＩＰ（ＩＮＴＥＲＮＥＴ  ＰＲＯＴＯＣＯＬ）網などを利用して映像等の受信、表示を
行う装置が用いられている。しかし、従来VOD（Ｖｉｄｅｏ  Ｏｎ  Ｄｅｍａｎｄ）再生
で一時停止・一時停止解除を行うと、一時停止した映像と一時停止解除後の映像が、少し
（１秒ほど）前後していることが多くあった。
【０００３】
一時停止解除において、受信機からサーバへ送出再開要求は、時間指定で行われる。ス
トリームの送出再開位置をTS（Ｔｒａｎｓｐｏｒｔ  Ｓｔｒｅａｍ）パケット単位で指定
できないため、一時停止するまでに受信機（情報端末装置）がサーバから受信したストリ
ームと、一時停止解除後に受信機が受信するストリームは、連続性が保障されない。
【０００４】
このようにストリームの連続性が保障されないため、受信機はVideoデコーダの一時停
止機能を利用できず、デコーダを完全停止させている。
関連して、ネットワークの不具合発生時、配信を一時停止し、端末から再生位置情報が
供給された場合に、供給された再生位置情報を破棄し、記録されている再生位置情報に基
づいて、続きからデータを配信するという技術が開示されている。この再生位置情報はPT
S(Presentation Time Stump)の値などから算出される（例えば特許文献１参照。）。
【０００５】
しかしながらこの再生位置情報は所定期間毎に端末から情報配信装置に送られる構成の
ものであり、本発明とは目的も構成も異なるものである。
【特許文献１】特開２００４−７１７２号公報（段落番号００４７）
【発明の開示】
【発明が解決しようとする課題】
【０００６】
本発明は、一時停止・一時停止解除の再生品位をより良くする情報端末装置を提供する
ことを目的とする。
【課題を解決するための手段】
【０００７】
上記課題を解決するために、本発明の情報端末装置は、ネットワークを介して情報配信
装置からデータを受信する情報端末装置において、前記情報配信装置から配信されてくる
前記データを受信する受信手段と、前記受信手段により受信された前記データを再生する
再生手段と、前記再生手段により再生されている前記データから再生位置情報を取得し、
この再生位置情報を外部からの所定操作毎に前記情報配信装置に送信する送信手段とを備
え、前記外部からの所定操作は再生一時停止後の再開であり、前記再生手段は前記データ
中のタイムスタンプに基づき前記データ中のストリームから重複した部分を特定する機能
を備えることを特徴とする。
【発明の効果】
【０００８】
本発明によれば、一時停止・一時停止解除の再生品位をより良くする情報端末装置が得
られる。
【発明を実施するための最良の形態】
【０００９】
以下、本発明の実施形態を説明する。
本発明による実施形態を図１乃至図１０を参照して説明する。
図１は、この発明の一実施形態に関するタイムスタンプ付TS(TTS)の一時停止と一時停
止解除を示す説明図である。図１（ａ）は一時停止前に受信したTTSストリームを表して
いて、最後に受信したTTSパケットはTTS[n]である。図１（ｂ）は一時停止解除後に受信
するTTSストリームを表していて、TTS[n]までは重複しPで示したTTS[n+1]からを表示しな
いと映像が前後する。
【００１０】
一時停止した映像と一時停止解除後の映像が前後することの解決方法として、タイムス
タンプ付TS（TTS，ARIB STD-B24 第二編で規定）のタイムスタンプ（図２）を利用して、
重複しているパケットを破棄すればよい。TTS[n+1] のタイムスタンプが表示再開のため
の後述する指定されたタイムスタンプとなる。
【００１１】
TTSのタイムスタンプは、32ビットで、27MHzのクロックカウンタ値であり、0x10000000
0 / 27000000 = 159.0728 秒と約2分39秒でループする。このため、ストリームの重複し
ている区間が数秒程度であれば、各パケットのタイムスタンプは完全にユニークである（
同一のタイムスタンプを持つパケットは他に存在しない）。したがって、TTSのタイムス
タンプを利用すれば、一時停止解除後に受信したストリームから、一時停止前の最後に処
理したパケットを見つけ出すことができる。
【００１２】
この第１の実施の形態においては、４バイトよりも小さいタイムスタンプを付すことに
より空く領域に、“Ｉ，Ｂ，Ｐのフレーム種別を識別するための制御情報”を記録してい
る。
【００１３】
本発明の第１の実施の形態に係る記録再生装置で記録するトランスポートストリームお
よびこのトランスポートストリームに付加するタイムスタンプについて図２を用いて説明
する。図２は、記録媒体に記録されるときのデータの構造を示す図である。
【００１４】
図２において、右側１８８バイトのデータは放送により送られてくるトランスポートス
トリーム（ＭＰＥＧ２−ＴＳ）のデータであり、１８８バイトの大きさにパケット化され
ている。この１８８バイトのパケットデータを記録媒体に記録するときには、新たにこの
パケットのタイムスタンプとして例えば３０ビット、再生制御情報として２ビットを付加
して記録媒体に記録する。これらタイムスタンプ（３０［ビット］）と再生制御情報（２
［ビット］）とを合わせると、４［バイト］（４［バイト］×８［ビット／バイト］＝３
２ビット）の大きさとなる。
【００１５】
本実施形態では、RTP（Real-time Transport Protocol：リアルタイム転送プロトコル
）を使用する。RTPの特徴としてまず一般的なRTPパケットの構造を図３に示す。
【００１６】
RTPの大きな目的は符号データのフレーミング（パケット化）を行い，RTPヘッダのシー
ケンス番号とタイムスタンプ情報を利用することにより，送信側のパケット送出タイミン
グを受信側でも復元できるようにすることである。
【００１７】
伝送データのフレーミングを行うという点ではトランスポート層に近い役割を果たすが
，効率良くリアルタイム制御を行うためにアプリケーション層で直接フレーミングを行う
。最適なフレーミング方法は符号データごとに異なるので，RTPでは詳細な仕様は定義し
ていない。符号データごとの具体的なフレーミング方法，すなわちRTPパケットのフォー
マットはIETFからRFC3551として公開されている。
【００１８】
RTPでは下位の転送プロトコルにUDPを使用する。もしネットワークでパケットが破棄さ
れた場合でもTCPのように再送せず，新しいパケットを転送し続ける方がリアルタイム通
信には適している。RTPには符号データを伝送する機能しかなくRTPパケットの伝送制御や
監視はRTCP（RTP Control Protocol：RTP制御プロトコル）により行う。
【００１９】
図３（ａ）にRTPパケットの構造を示す。RTPヘッダの前にUDPヘッダ、その前にIPヘッ
ダが付加されている。
図３（ｂ）にRTPヘッダの構造を示す。以下のような要素がある。
・バージョン（V）‐RTPのバージョン番号で現在（RFC1889）は2である。
・パディング（P）‐パディング・データの有無を示す。
・拡張ヘッダ‐拡張ヘッダの有無を示す。拡張ヘッダはPTごとに定義されており，存在す
る場合はCSRC識別子の後に挿入される。
・CSRC識別子の数（CC） 
・マーカー（M）‐使用方法はPTごとに定義される。
・ペイロード・タイプ（PT）‐伝送する符号データの種類を示す。
・シーケンス番号‐初期値が乱数で，パケットごとに１ずつ増加する。受信側でパケット
の破棄や受信順序の入れ替りを検出することができる。
・タイムスタンプ‐パケットに含まれる最も古いデータが発生した時刻を表す。クロック
の周波数はPTごとに定義され，音声コーデックの場合はサンプリング周波数になる。たと
えば8kHzサンプリングの音声コーデックを20msecのパケット長で伝送する場合，1パケッ
トには160サンプル分の音声データが含まれており，タイムスタンプもパケットごとに160
ずつ増加する。
【００２０】
・同期送信元（SSRC）識別子‐RTPパケットの送信元を識別するための識別子である。識
別子の値には乱数を使用する。
・寄与送信元（CSRC）識別子‐RTPでは複数の送信元から送られるパケットをミキシング
する「ミキサ」という機能が定義されている。たとえば2人の話者から送信される2系統の
音声パケットをそれぞれデコードし，加算した後で再びエンコードすれば1つのRTPパケッ
トが得られる。このような場合，CSRC識別子として元のパケットのSSRC識別子を列挙する
。1対1の通信の場合はCSRC識別子は存在せずCCの値は0になる。
【００２１】
ここで情報端末装置の一形態を一般的に説明する。
図８は、この発明の実施形態で説明する、アクセス制御装置およびアクセス制御方法を
適用したデジタルテレビジョン放送受信装置１１１の外観と、このデジタルテレビジョン
放送受信装置１１１を中心として構成されるネットワークシステムの一例を概略的に示し
ている。
【００２２】
すなわち、デジタルテレビジョン放送受信装置１１１は、主として、薄型のキャビネッ
ト１１２と、このキャビネット１１２を起立させて支持する支持台１１３とから構成され
ている。そして、キャビネット１１２には、例えば液晶表示パネル等でなる平面パネル型
の映像表示器１１４、スピーカ１１５、操作部１１６、リモートコントローラ１１７から
送信される操作情報を受ける受光部１１８等が設置されている。
【００２３】
また、このデジタルテレビジョン放送受信装置１１１には、例えばＳＤ（Secure Digit
al）メモリカード、ＭＭＣ（Multimedia Card）及びメモリスティック等の第１のメモリ
カード１１９が着脱可能となっており、この第１のメモリカード１１９に対して番組や写
真等の情報の記録再生が行なわれるようになっている。
【００２４】
さらに、このデジタルテレビジョン放送受信装置１１１には、例えば契約情報等の記録
された第２のメモリカード（ＩＣカード）１２０が着脱可能となっており、この第２のメ
モリカード１２０に対して情報の記録再生が行なわれるようになっている。
【００２５】
また、このデジタルテレビジョン放送受信装置１１１は、第１のＬＡＮ（Local Area N
etwork）端子１２１、第２のＬＡＮ端子１２２、ＵＳＢ（Universal Serial Bus）端子１
２３及びｉ．ＬＩＮＫ端子１２４を備えている。
【００２６】
このうち、第１のＬＡＮ端子１２１は、ＬＡＮ対応ＨＤＤ専用ポートとして使用される
もので、接続されたＮＡＳ（Network Attached Storage）であるＬＡＮ対応のＨＤＤ１２
５に対して、イーサネット（登録商標）により情報の記録再生を行なうために使用される
。
【００２７】
このように、ＬＡＮ対応ＨＤＤ専用ポートとしての第１のＬＡＮ端子１２１を設けるこ
とにより、他のネットワーク環境やネットワーク使用状況等に影響されることなく、ＨＤ
Ｄ１２５に対してハイビジョン画質による番組の情報記録を安定して行なうことができる
。
【００２８】
また、第２のＬＡＮ端子１２２は、イーサネット（登録商標）を用いた一般的なＬＡＮ
対応ポートとして使用されるもので、例えばハブ１２６を介して、ＬＡＮ対応のＨＤＤ１
２７、ＰＣ（Personal Computer）１２８、ＨＤＤ内蔵のＤＶＤ（Digital Versatile Dis
k）レコーダ１２９等の機器を接続し、これらの機器と情報伝送を行なうために使用され
る。
【００２９】
なお、ＤＶＤレコーダ１２９については、第２のＬＡＮ端子１２２を介して通信される
デジタル情報が制御系のみの情報であるため、デジタルテレビジョン放送受信装置１１１
との間でアナログの映像及び音声情報を伝送するために、専用のアナログ伝送路１３０を
設ける必要がある。
【００３０】
さらに、この第２のＬＡＮ端子１２２は、ハブ１２６に接続されたブロードバンドルー
タ１３１を介して、例えばインターネット等のネットワーク１３２に接続し、このネット
ワーク１３２を介してＰＣ１３３や携帯電話１３４等と情報伝送を行なうために使用され
る。
【００３１】
また、上記ＵＳＢ端子１２３は、一般的なＵＳＢ対応ポートとして使用されるもので、
例えばハブ１３５を介して、携帯電話１３６、デジタルカメラ１３７、メモリカードに対
するカードリーダ／ライタ１３８、ＨＤＤ１３９、キーボード１４０等のＵＳＢ機器を接
続し、これらのＵＳＢ機器と情報伝送を行なうために使用される。
【００３２】
さらに、上記ｉ．ＬＩＮＫ端子１２４は、例えばＡＶ−ＨＤＤ１４１、Ｄ（Digital）
−ＶＨＳ（Video Home System）１４２等をシリアル接続し、これらの機器と情報伝送を
行なうために使用される。
図９は、上記したデジタルテレビジョン放送受信装置１１１の主要な信号処理系を示し
ている。すなわち、ＢＳ／ＣＳデジタル放送受信用のアンテナ２４３で受信した衛星デジ
タルテレビジョン放送信号は、入力端子２４４を介して衛星デジタル放送用のチューナ２
４５に供給されることにより、所望のチャンネルの放送信号が選局される。
【００３３】
そして、このチューナ２４５で選局された放送信号は、ＰＳＫ（Phase Shift Keying）
復調器２４６に供給されて、デジタルの映像信号及び音声信号に復調された後、信号処理
部２４７に出力される。
また、地上波放送受信用のアンテナ２４８で受信した地上デジタルテレビジョン放送信
号は、入力端子２４９を介して地上デジタル放送用のチューナ２５０に供給されることに
より、所望のチャンネルの放送信号が選局される。
【００３４】
そして、このチューナ２５０で選局された放送信号は、例えば日本ではＯＦＤＭ（Orth
ogonal Frequency Division Multiplexing）復調器２５１に供給されて、デジタルの映像
信号及び音声信号に復調された後、上記信号処理部２４７に出力される。
【００３５】
また、上記地上波放送受信用のアンテナ２４８で受信した地上アナログテレビジョン放
送信号は、入力端子２４９を介して地上アナログ放送用のチューナ２５２に供給されるこ
とにより、所望のチャンネルの放送信号が選局される。そして、このチューナ２５２で選
局された放送信号は、アナログ復調器２５３に供給されてアナログの映像信号及び音声信
号に復調された後、上記信号処理部２４７に出力される。
【００３６】
ここで、上記信号処理部２４７は、ＰＳＫ復調器２４６及びＯＦＤＭ復調器２５１から
それぞれ供給されたデジタルの映像信号及び音声信号に対して、選択的に所定のデジタル
信号処理を施し、グラフィック処理部２５４及び音声処理部２５５に出力している。
【００３７】
また、上記信号処理部２４７には、複数（図示の場合は４つ）の入力端子２５６ａ，２
５６ｂ，２５６ｃ，２５６ｄが接続されている。これら入力端子２５６ａ〜２５６ｄは、
それぞれ、アナログの映像信号及び音声信号を、デジタルテレビジョン放送受信装置１１
１の外部から入力可能とするものである。
【００３８】
信号処理部２４７は、上記アナログ復調器２５３及び各入力端子２５６ａ〜２５６ｄか
らそれぞれ供給されたアナログの映像信号及び音声信号を選択的にデジタル化し、このデ
ジタル化された映像信号及び音声信号に対して所定のデジタル信号処理を施した後、グラ
フィック処理部２５４及び音声処理部２５５に出力する。
【００３９】
グラフィック処理部２５４は、信号処理部２４７から供給されるデジタルの映像信号に
、ＯＳＤ（On Screen Display）信号生成部２５７で生成されるＯＳＤ信号を重畳して出
力する機能を有する。このグラフィック処理部２５４は、信号処理部２４７の出力映像信
号と、ＯＳＤ信号生成部２５７の出力ＯＳＤ信号とを選択的に出力すること、また、両出
力をそれぞれ画面の半分を構成するように組み合わせて出力することができる。
【００４０】
グラフィック処理部２５４から出力されたデジタルの映像信号は、映像処理部２５８に
供給される。この映像処理部２５８は、入力されたデジタルの映像信号を、前記映像表示
器１１４で表示可能なフォーマットのアナログ映像信号に変換した後、映像表示器１１４
に出力して映像表示させるとともに、出力端子２５９を介して外部に導出させる。
【００４１】
また、上記音声処理部２５５は、入力されたデジタルの音声信号を、前記スピーカ１１
５で再生可能なフォーマットのアナログ音声信号に変換した後、スピーカ１１５に出力し
て音声再生させるとともに、出力端子２６０を介して外部に導出させる。
【００４２】
ここで、このデジタルテレビジョン放送受信装置１１１は、上記した各種の受信動作を
含むその全ての動作を制御部２６１によって統括的に制御されている。この制御部２６１
は、ＣＰＵ（Central Processing Unit）等を内蔵しており、前記操作部１１６からの操
作情報を受け、または、リモートコントローラ１１７から送出された操作情報を前記受光
部１１８を介して受信し、その操作内容が反映されるように各部をそれぞれ制御している
。
【００４３】
この場合、制御部２６１は、主として、そのＣＰＵが実行する制御プログラムを格納し
たＲＯＭ（Read Only Memory）２６１ａと、該ＣＰＵに作業エリアを提供するＲＡＭ（Ra
ndom Access Memory）２６１ｂと、各種の設定情報及び制御情報等が格納される不揮発性
メモリ２６１ｃとを利用している。
【００４４】
また、この制御部２６１は、カードＩ／Ｆ（Interface）２６５を介して、前記第１の
メモリカード１１９が装着可能なカードホルダ２６６に接続されている。これによって、
制御部２６１は、カードホルダ２６６に装着された第１のメモリカード１１９と、カード
Ｉ／Ｆ２６５を介して情報伝送を行なうことができる。
【００４５】
さらに、上記制御部２６１は、カードＩ／Ｆ２６７を介して、前記第２のメモリカード
１２０が装着可能なカードホルダ２６８に接続されている。これにより、制御部２６１は
、カードホルダ２６８に装着された第２のメモリカード１２０と、カードＩ／Ｆ２６７を
介して情報伝送を行なうことができる。
【００４６】
また、上記制御部２６１は、通信Ｉ／Ｆ２６９を介して第１のＬＡＮ端子１２１に接続
されている。これにより、制御部２６１は、第１のＬＡＮ端子１２１に接続されたＬＡＮ
対応のＨＤＤ１２５と、通信Ｉ／Ｆ２６９を介して情報伝送を行なうことができる。この
場合、制御部２６１は、ＤＨＣＰ（Dynamic Host Configuration Protocol）サーバ機能
を有し、第１のＬＡＮ端子１２１に接続されたＬＡＮ対応のＨＤＤ１２５にＩＰ（Intern
et Protocol）アドレスを割り当てて制御している。
【００４７】
さらに、上記制御部２６１は、通信Ｉ／Ｆ２７０を介して第２のＬＡＮ端子１２２に接
続されている。これにより、制御部２６１は、第２のＬＡＮ端子１２２に接続された各機
器（図８参照）と、通信Ｉ／Ｆ２７０を介して情報伝送を行なうことができる。
【００４８】
また、上記制御部２６１は、ＵＳＢ  Ｉ／Ｆ２７１を介して前記ＵＳＢ端子１２３に接
続されている。これにより、制御部２６１は、ＵＳＢ端子１２３に接続された各機器（図
８参照）と、ＵＳＢ  Ｉ／Ｆ２７１を介して情報伝送を行なうことができる。
【００４９】
さらに、上記制御部２６１は、ｉ．ＬＩＮＫ  Ｉ／Ｆ２７２を介してｉ．ＬＩＮＫ端子
１２４に接続されている。これにより、制御部２６１は、ｉ．ＬＩＮＫ端子１２４に接続
された各機器（図８参照）と、ｉ．ＬＩＮＫ  Ｉ／Ｆ２７２を介して情報伝送を行なうこ
とができる。
【００５０】
ところで、この第１の実施形態では、ＨＤＤ１２５に初期登録時のＨＤＤ１２５、ＨＤ
Ｄ１２７、ＰＣ１２８、ＤＶＤレコーダ１２９それぞれに割り当てられたストレージＩＤ
（ＩＰアドレス、機器名を含む）を記述した登録ファイルを記憶保持している。
【００５１】
また、不揮発性メモリ２６１ｃに、ＨＤＤ１２５、ＨＤＤ１２７、ＰＣ１２８、ＤＶＤ
レコーダ１２９それぞれのストレージＩＤを記憶している。
以下、ＨＤＤ１２７には、放送により送られたＴＳが蓄積されており、これをデジタル
テレビジョン放送受信装置１１１でフロー制御にて再生するものとして説明する。このフ
ロー制御にて再生する場合、先にも説明したが、デコーダのバッファに空きがある限りス
トリームを読み出す。
【００５２】
さて図４に示すように、TTSフィルタ処理は、RTP受信処理とTTSデコード処理の間で行
う。第２のＬＡＮ端子１２２を介して受け取ったパケットを対象とする。
【００５３】
ここでＴＴＳについて説明する。図５はＴＴＳの構成をより詳しく示す図である。図２
に関して述べたようにＴＴＳはＴＳを構成する１８８バイトの各ＴＳパケットに、４バイ
トのタイムスタンプを付加したものである。このタイムスタンプは、送り手側のネットワ
ーク上のサーバあるいは本発明が適用されるデジタル信号処理装置が、各ＴＳパケットを
受信したときに付与した情報であって、各ＴＳパケットの受信タイミングを示す。
【００５４】
各ＴＳパケットはＰＥＳヘッダとpayloadからなり、payloadには分割された映像ＰＥＳ
又は音声ＰＥＳが格納される。payloadは例えばＭＰＥＧ２符号化ストリームである。
【００５５】
図４の構成ではこのような構造を解析して映像と音声のそれぞれのデコードを行ってい
る。
一時停止前の最後に処理したパケットの次のパケットからデコーダへ出力するため、図
６に示すようなTTSパケットをタイムスタンプでフィルタリングする処理（TTSフィルタ）
を信号処理部２４７に用意すれば良い。
【００５６】
TTSパケットのフィルタでは、指定されたタイムスタンプを持つパケットが見つかるま
で、TTSパケットを破棄する。指定されたタイムスタンプを持つパケットが見つかれば、
その次のパケットからデコーダへ出力する（正常系）。
【００５７】
ネットワーク上でパケットロストする場合もあるため、入力されたTTSパケットのタイム
スタンプと指定されたタイムスタンプ値との差分が閾値（１秒ほど）を超える場合、フィ
ルタ処理を停止してデコーダへの出力を開始する（異常系）。
【００５８】
TTSパケットを入力したらまずフィルタ処理が完了しているかチェックする（ステップ
Ｓ６１）。ＹＥＳならばTTSパケットを出力し（ステップＳ６２）、次のTTSパケットを入
力する。
【００５９】
他方ステップＳ６１でＮＯならば、TTSパケットのタイムスタンプXを評価する（ステッ
プＳ６３）。例えば指定されたタイムスタンプの一つ前TTS[n] のタイムスタンプAを減算
して値ｄを算出する。
【００６０】
このときｄ＝０なるを以って指定されたタイムスタンプを持つパケットが見つかれば（ス
テップＳ６４のＹＥＳ）、フィルタ処理が完了した自己状態とし（ステップＳ６５）、ホ
ストＣＰＵ（制御部２６１）へ指定されたタイムスタンプを持つパケットを受信した旨を
通知し（ステップＳ６６）、当該パケットTTS[n]を破棄し（ステップＳ６７）、その次の
パケットからデコーダへ出力する動作となる。
【００６１】
上記でステップＳ６４でＮＯの場合はタイムスタンプの差分ｄが閾値を超えたか判定し
（ステップＳ６８）、ＮＯならばステップＳ６７へ行き、ＹＥＳならば次のステップＳ６
９へ行く。
【００６２】
ステップＳ６９ではフィルタ処理が完了した自己状態とし、ホストＣＰＵへタイムオー
バーエラーの旨を通知し（ステップＳ７０）、ステップＳ６７へ行く。ホストＣＰＵでは
デコーダの停止等のリセット処理を行う。
【００６３】
図６のシーケンスは一時停止解除後のものであるが、その前の一時停止時にフィルタ処
理が完了した自己状態はリセットされる。
図７にTTSフィルタを利用した場合の一時停止・一時停止解除のシーケンスを示す。ユ
ーザによりリモートコントローラ１１７などを用いて外部から一時停止と一時停止解除が
指示される。図中のタイミングＴにて図６のステップＳ６６の処理が行われる。
【００６４】
既に述べたように必ずしも規格にある32ビットのタイムスタンプ付TSである必要はない
。例えば、TSに付与されたタイムスタンプが、30ビットで27MHzのクロックカウンタ値で
も、同様の処理が行える。
【００６５】
次に、図１０を参照して、動画像ストリームに含まれる参照画面および非参照画面につ
いて説明し、関連して実施形態の効果を説明する。
デコード処理前の動画像ストリームに含まれる各種の画面は、所定の順序でデコーダに
入力されて動き補償フレーム間予測やフレーム内予測などの処理が施される。ここでは、
画面（Ｉピクチャ）I0，画面（Ｂピクチャ）B１，画面（Ｂピクチャ）B２，（Ｐピクチャ
）P３，画面（Ｂピクチャ）B４，画面（Ｂピクチャ）B５，画面（Ｐピクチャ）P６がこの
順序でデコーダに入力されて処理される場合を考える。
【００６６】
なお、Ｐピクチャは、１つの画面を参照することによって動き補償フレーム間予測を行
うための画面である。Ｂピクチャは、２つの画面を参照することによって動き補償フレー
ム間予測を行うための画面である。Ｉピクチャは、他の画面を参照することなく当該画面
内（イントラ）だけで独立してフレーム内予測を行うための画面である。
【００６７】
図６中に示される画面I0は、他の画面を参照することはないが、画面B1，画面B2，およ
び画面P3から参照される。また、画面P3は、画面I0を参照し、図の矢印で示したように5
画面から参照される。また、画面P6は、画面P3を参照し、図中の範囲では画面B4および画
面B5から参照される。このように画面間予測に際して他の画面から参照される画面I0，画
面P3，および画面P6は、参照画面に該当する。
【００６８】
一方、図６中に示される画面B1は、画面I0および画面P3を参照するが、他の画面からは
参照されない。また、画面B2も、画面I0および画面P3を参照するが、他の画面からは参照
されない。このように画面間予測に際して他の画面から参照されない画面B１および画面B
2は、非参照画面に該当する。画面B４も画面B1と、画面B5も画面B２1とほぼ同様である。
【００６９】
一般的には、Videoデコーダのバッファには、500ミリ秒から１秒程度のデータが蓄積さ
れている。この蓄積されるデータ量は、DTS/PTSに依存する。なお送信側でP3をB1の前に
置くようなフレームの並べ替えをすればDTSの使用頻度は緩和される。
【００７０】
動作としては例えば、P6を受信中に一時停止したら、B1まで表示された状態であったと
する。一時停止解除後に、不連続なストリームを受信すれば、P6は正しく復号できない。
このため、B1,B2,P3までは正しく復号されるが、P6とP6を参照するB4,B5は正しく復号で
きない。
【００７１】
連続性の確保に充分なストリームを受信しVideoデコーダの一時停止機能を用いること
ができればこの一時停止状態が保存され一時停止解除後に継続可能である。
【００７２】
一時停止機能を用いることができない場合に同様に継続を行うためには、例えばＩピク
チャからデコードをやり直すための一GOP分のバッファと一時停止位置の記憶機能とデコ
ードをやり直した場合にＩピクチャに続く１番目のＢピクチャ画面B1の表示を抑制する仕
組みが別途必要となる。一時停止解除後に続く画面が表示されるタイミングも表示抑制期
間分遅れることとなる。
【００７３】
一時停止・一時停止解除の品位を良くするため、一時停止するまでにデコーダに出力し
たストリームと一時停止解除後にデコーダへ出力するストリームの連続性を確保したい。
【００７４】
そのためには、サーバへの送出再開要求は、一時停止した再生位置から少し前（例えば
１秒ほど）を指定し、重複しているパケットを破棄できれば良い（図１）。サーバは、指
定された時間に該当するTTSのパケットから送信する。これはGOPの先頭とは限らないが、
GOPの先頭に調節するサーバもある。
【００７５】
以上実施形態を概要として述べると、タイムスタンプを利用して２つのストリームから
重複した部分を特定し、そのパケットを破棄してデコーダに出力することにより、一時停
止前後のストリームの連続性を確保する。特に次の手段による。
【００７６】
１．タイムスタンプ付TS（TTS）のタイムスタンプを利用して、２つのストリームから重
複した部分を特定する（TTSフィルタ）。
２．TTSフィルタを利用して、一時停止までにデコーダへ出力したストリームと、一時停
止解除後にデコーダへ出力するストリームの連続性を確保する。
効果としては以下の点があげられる。
・VOD再生において一時停止した映像から１フレームもずれることなく再生を再開でき
る。
なお、この発明は上記実施形態に限定されるものではなく、この外その要旨を逸脱しな
い範囲で種々変形して実施することができる。
また、上記した実施の形態に開示されている複数の構成要素を適宜に組み合わせること
により、種々の発明を形成することができる。例えば、実施の形態に示される全構成要素
から幾つかの構成要素を削除しても良いものである。さらに、異なる実施の形態に係る構
成要素を適宜組み合わせても良いものである。
【図面の簡単な説明】
【００７７】
【図１】この発明の一実施形態に関するタイムスタンプ付TSの一時停止と一時停止解除を示す説明図。
【図２】TTSパケットの概略構成図。
【図３】一般的なRTPパケットの構造を示す図。
【図４】実施形態のストリームの処理を示すブロック構成図。
【図５】ＴＴＳの構成を示す図。
【図６】実施形態のTTSフィルタ処理フロー図。
【図７】同実施形態に用いられる一時停止と一時停止解除のシーケンスを示す図。
【図８】本発明のテレビジョン受信装置の外観と、このテレビジョン受信装置を中心として構成されるネットワークシステムを説明するための図。
【図９】テレビジョン受信装置の主要な信号処理系を示す図。
【図１０】動画像ストリームに含まれる参照画面および非参照画面について説明するための図。
【符号の説明】
【００７８】
１１１…デジタルテレビジョン放送受信装置、１１２…キャビネット、１１３…支持台
、１１４…映像表示器、１１５…スピーカ、１１６…操作部、１１７…リモートコントロ
ーラ、１１８…受光部、１１９…第１のメモリカード、１２０…第２のメモリカード、１
２１…第１のＬＡＮ端子、１２２…第２のＬＡＮ端子、１２３…ＵＳＢ端子、１２４…ｉ
．ＬＩＮＫ端子、１２５，１２７，１３９…ＨＤＤ、１２６，１３５…ハブ、１２８…Ｐ
Ｃ、１２９…ＤＶＤレコーダ、１３０…アナログ伝送路、１３１…ブロードバンドルータ
、１３２…ネットワーク、１３３…ＰＣ、１３４，１３６…携帯電話、１３７…デジタル
カメラ、１３８…カードリーダ／ライタ、１４０…キーボード、１４１…ＡＶ−ＨＤＤ、
１４２…Ｄ−ＶＨＳ、２４３…アンテナ、２４４…入力端子、２４５，２５０，２５２…
チューナ、２４６…ＰＳＫ復調器、２４７…信号処理部、２４８…アンテナ、２５１…Ｏ
ＦＤＭ復調器、２５３…アナログ復調器、２５４…グラフィック処理部、２５５…音声処
理部、２４９，２５６ａ，２５６ｂ，２５６ｃ，２５６ｄ…入力端子、２５７…ＯＳＤ信
号生成部、２５８…映像処理部、２５９，２６０…出力端子、２６１…制御部、２６１ａ
…ＲＯＭ、２６１ｂ…ＲＡＭ、２６１ｃ…不揮発性メモリ、２６５，２６７…カードＩ／
Ｆ、２６６，２６８…カードホルダ、２６９，２７０…通信Ｉ／Ｆ、２７１…ＵＳＢ  Ｉ
／Ｆ、２７２…ｉ．ＬＩＮＫ  Ｉ／Ｆ。
【図１】
2009111917.tif 000003
【図２】
2009111917.tif 000004
【図３】
2009111917.tif 000005
【図４】
2009111917.tif 000006
【図５】
2009111917.tif 000007
【図６】
2009111917.tif 000008
【図７】
2009111917.tif 000009
【図８】
2009111917.tif 000010
【図９】
2009111917.tif 000011
【図１０】
2009111917.tif 000012